(57)【要約】【課題】光ディスクドライブの書き込みエラーの発生を抑制することができる電子機器を得る。【解決手段】実施形態の電子機器は、例えば、光ディスクにデータの書き込みを行なう光ディスクドライブと、一つ以上のスピーカを有し、スピーカから音を出力する音出力部と、光ディスクドライブのデータの書き込みに伴って、音出力部の出力を下げる制御装置と、を備えている。【選択図】図３
2020173881.tif 000002
【特許請求の範囲】
【請求項１】
光ディスクにデータの書き込みを行なう光ディスクドライブと、
一つ以上のスピーカを有し、前記スピーカから音を出力する音出力部と、
前記光ディスクドライブの前記データの書き込みに伴って、前記音出力部の出力を下げる制御装置と、
を備えた電子機器。
【請求項２】
前記音出力部は、第１の前記スピーカと、規定の周波数以下の前記音の出力が前記第１のスピーカよりも大きい第２の前記スピーカと、を有し、
前記制御装置は、前記第２のスピーカの出力を下げることにより前記音出力部の出力を下げる請求項１に記載の電子機器。
【請求項３】
前記制御装置は、前記音出力部における規定値以下の周波数の前記音の出力を下げることにより前記音出力部の出力を下げる、請求項１に記載の電子機器。
【請求項４】
前記制御装置は、前音出力部が出力する前記音の音量を規定値以下に下げることにより前記音出力部の出力を下げる、請求項１に記載の電子機器。
【発明の詳細な説明】
【技術分野】
【０００１】
本発明は、電子機器に関する。
【背景技術】
【０００２】
従来、例えば、光ディスクドライブとスピーカとが筐体に支持された構成の電子機器が知られている。
【先行技術文献】
【特許文献】
【０００３】
【特許文献１】特開２０１３−２５７９０５号公報
【発明の概要】
【発明が解決しようとする課題】
【０００４】
この種の電子機器では、光ディスクドライブの書き込み動作中にスピーカが大音量の音を出力すると、スピーカによる音の出力に起因する振動が筐体等を介して光ディスクドライブに伝達し、光ディスクドライブの書き込みエラーが発生する虞がある。書き込みエラーが発生すると、光ディスクドライブは、再度書き込み動作をしなければならず、書き込みに時間がかかってしまう。また、書き込みエラーにおいて、光ディスクドライブの光ディスク（媒体）に修復不可能なダメージを与えた場合には、リトライ不可等の不具合が発生したり、書き込みデータがコピーワンス等のコピー制限があるデータだったときにデータロスになる等、重要な資産が失われる虞がある。
【０００５】
そこで、本発明の課題の一つは、光ディスクドライブの書き込みエラーの発生を抑制することができる電子機器を得ることである。
【課題を解決するための手段】
【０００６】
本発明の第１態様に係る電子機器は、例えば、光ディスクにデータの書き込みを行なう光ディスクドライブと、一つ以上のスピーカを有し、前記スピーカから音を出力する音出力部と、前記光ディスクドライブの前記データの書き込みに伴って、前記音出力部の出力を下げる制御装置と、を備えている。
【０００７】
前記電子機器では、例えば、前記音出力部は、第１の前記スピーカと、規定の周波数以下の前記音の出力が前記第１のスピーカよりも大きい第２の前記スピーカと、を有し、前記制御装置は、前記第２のスピーカの出力を下げることにより前記音出力部の出力を下げる。
【０００８】
前記電子機器では、例えば、前記制御装置は、前記音出力部における規定値以下の周波数の前記音の出力を下げることにより前記音出力部の出力を下げる。
【０００９】
前記電子機器では、例えば、前記制御装置は、前音出力部が出力する前記音の音量を規定値以下に下げることにより前記音出力部の出力を下げる。
【発明の効果】
【００１０】
本発明の上記態様によれば、例えば、光ディスクドライブの書き込みエラーの発生を抑制することができる電子機器を得ることができる。
【図面の簡単な説明】
【００１１】
【図１】図１は、第１の実施形態の電子機器の一例を示すブロック図である。
【図２】図２は、第１の実施形態の電子機器の機能構成の一例を示すブロック図である。
【図３】図３は、第１の実施形態の電子機器の制御装置が実行するオーディオ出力抑制処理の一例を示すフローチャートである。
【図４】図４は、第２の実施形態の電子機器の一例を示すブロック図である。
【発明を実施するための形態】
【００１２】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１３】
また、以下の複数の実施形態には、同様の構成要素が含まれている。それら同様の構成要素には共通の符号が付与されるとともに、重複する説明が省略される。なお、本明細書において、序数は、部品や部材、構成等を区別するために便宜上付与されており、優先順位や順番を示すものではない。
【００１４】
＜第１の実施形態＞
図１は、実施形態の電子機器１の一例を示す斜視図である。図１に示されるように、電子機器１は、例えば、デスクトップ型のパーソナルコンピュータとして構成されており、表示装置２と、入力装置３と、光ディスクドライブ４と、オーディオシステム５と、ストレージ６と、制御装置７と、筐体（不図示）と、を備えている。表示装置２、光ディスクドライブ４、オーディオシステム５、ストレージ６、および制御装置７は、筐体に支持されている。すなわち、電子機器１は、所謂表示装置一体型パーソナルコンピュータである。なお、電子機器１は、上記の例には限定されず、例えば、ノートブック型（クラムシェル型）のパーソナルコンピュータや、スレート型（タブレット型）のパーソナルコンピュータ、オーディオ機器、映像表示装置、テレビジョン受像機、ゲーム機等であってもよい。
【００１５】
表示装置２は、液晶ディスプレイや有機ディスプレイ等である。
【００１６】
入力装置３は、例えば、キーボードや、表示装置２に重ねられたタッチパネル等を含む。入力装置３は、操作部とも称される。
【００１７】
光ディスクドライブ４は、光ディスク１００に記録されているデータの読み取りおよび光ディスク１００へのデータの書き込みが可能である。光ディスクドライブ４は、当該光ディスクドライブ４内に収容された光ディスク１００に対して読み書きを行なう。光ディスク１００は、例えば、ブルーレイディスク、ＤＶＤ（Digital  Versatile  Disc）、ＣＤ（Compact  Disc）等である。
【００１８】
オーディオシステム５は、メインスピーカ１１Ａと、ウーハー１１Ｂと、を有している。メインスピーカ１１Ａとウーハー１１Ｂとは、周波数特性が異なる。例えば、ウーハー１１Ｂは、メインスピーカ１１Ａが出力する周波数帯域の音に対して低周波数側の周波数帯域の音を出力する。すなわち、ウーハー１１Ｂは、ある規定の周波数以下の音の出力がメインスピーカ１１Ａよりも大きい。当該ある規定の周波数は任意に設定されてよい。メインスピーカ１１Ａとウーハー１１Ｂとは、音を出力する音出力部１６を構成している。メインスピーカ１１Ａは、第１のスピーカの一例であり、ウーハー１１Ｂは、第２のスピーカの一例である。周波数帯域は、周波数領域とも称される。
【００１９】
オーディオシステム５は、オーディオコーデック１２と、フィルタ回路１３Ａ，１３Ｂと、アンプ１４Ａ，１４Ｂと、スイッチ回路１５と、を有している。また、オーディオシステム５には、オーディオコーデック１２からメインスピーカ１１Ａに至る第１の伝送路１６Ａと、オーディオコーデック１２からウーハー１１Ｂに至る第２の伝送路１６Ｂとが、設けられている。第１の伝送路１６Ａに、フィルタ回路１３Ａとアンプ１４Ａとが設けられ、第２の伝送路１６Ｂに、フィルタ回路１３Ｂとスイッチ回路１５とアンプ１４Ｂとが設けられている。
【００２０】
オーディオコーデック１２には、デジタルオーディオ信号（オーディオデータ）が入力される。オーディオコーデック１２に入力されるデジタルオーディオ信号（オーディオデータ）は、ストレージ６に記憶されたものであってもよいし、電子機器１と通信可能に接続された不図示の記憶装置等に記憶されたものであってもよい。オーディオコーデック１２は、入力されたデジタルオーディオ信号をアナログオーディオ信号に変換して、フィルタ回路１３Ａ，１３Ｂに出力する。
【００２１】
フィルタ回路１３Ａは、ある規定の周波数帯域である第１高周波帯域のアナログオーディオ信号を通過させ、当該第１高周波帯域以外のアナログオーディオ信号を減衰させる。フィルタ回路１３Ａを通過したアナログオーディオ信号は、アンプ１４Ａによって増幅されて、メインスピーカ１１Ａに入力される。メインスピーカ１１Ａは、入力されたアナログオーディオ信号に応じた音を出力（発生）する。
【００２２】
一方、フィルタ回路１３Ｂは、ある規定の第１の低周波帯域のアナログオーディオ信号を通過させ、第１の低周波帯域以外のアナログオーディオ信号を減衰させる。第１の低周波帯域は、第１高周波帯域の低周波側の規定の周波数帯域である。フィルタ回路１３Ｂを通過したアナログオーディオ信号は、スイッチ回路１５を介してアンプ１４Ｂに入力され、アンプ１４Ｂによって増幅される。アンプ１４Ｂによって増幅されたアナログオーディオ信号は、ウーハー１１Ｂに入力される。ウーハー１１Ｂは、入力されたアナログオーディオ信号に応じた音を出力（発生）する。
【００２３】
スイッチ回路１５は、フィルタ回路１３Ｂとアンプ１４Ｂとの間を接続する閉状態と、フィルタ回路１３Ｂとアンプ１４Ｂとの間を遮断する開状態とに、変化可能である。スイッチ回路１５は、制御装置７によって制御される。
【００２４】
ストレージ６は、例えばＨＤＤ（Hard  Disk  Drive）やＳＳＤ（Solid  State  Drive）等である。ストレージ６は、ＯＳ（Operating  System）、プログラム、各種のデータ、各種のファイル等を記憶している。ストレージ６に記録されたデータは、例えばオーディオシステム５に入力されるオーディオデータ等である。ストレージ６に記録されたファイルは、例えば、オーディオシステム５の設定情報を記憶したオーディオ設定ファイル等である。オーディオ設定ファイルに記憶された設定情報は、例えば、音出力部１６が出力する音のボリューム（音量）の設定を示すボリューム設定情報である。このボリューム設定情報は、入力装置３に対する使用者の操作に応じて制御装置７のオーディオ制御部３２が設定する。以後、音出力部１６が出力する音のボリューム（音量）を、スピーカ出力のボリュームとも称する。ストレージ６は、プログラムを記録した記録媒体の一例である。
【００２５】
制御装置７は、ＣＰＵ２１（Central  Processing  Unit）と、メモリ２２と、を有し、メモリ２２は、ＲＯＭ（Read  Only  Memory）と、ＲＡＭ（Random  Access  Memory）と、を有している。すなわち、制御装置７は、一般的なコンピュータのハードウェア構成となっている。ＣＰＵ２１は、メモリ２２のＲＯＭやストレージ６等の記憶部に記憶されたプログラムを読み出して実行する。また、ＣＰＵ２１は、各種演算処理を並列処理可能に構成されている。ＲＡＭは、ＣＰＵ２１がプログラムを実行して種々の演算処理を実行する際に用いられる各種データを一時的に記憶する。制御装置７には、表示装置２、入力装置３、光ディスクドライブ４、オーディオシステム５、およびストレージ６が接続されている。
【００２６】
ＣＰＵ２１が実行するプログラムは、ＢＩＯＳ（Basic  Input  Output  System）、ＯＳ（Operating  System）、光ディスクドライブ４の読み書きのための読み書きプログラム、各部を監視するためのステート監視プログラム、オーディオシステム５を制御するためのオーディオドライバ、オーディオシステム５に対するユーザーインターフェースとしてのオーディオプレーヤー等がある。
【００２７】
図２は、第１の実施形態の電子機器１の機能構成の一例を示すブロック図である。図２に示されるように、制御装置７は、機能的構成として、ドライブ制御部３１と、オーディオ制御部３２と、ステート監視部３３と、を備えている。これらの各機能的構成は、ＣＰＵ２１がＲＯＭやストレージ６等の記憶部にされたプログラムを実行した結果として実現される。上記の機能的構成の一部または全部が専用のハードウェア（回路）によって実現されてもよい。
【００２８】
ドライブ制御部３１は、光ディスクドライブ４を制御する。ドライブ制御部３１は、例えば、ＣＰＵ２１が読み書きプログラムを実行することにより実現される。
【００２９】
オーディオ制御部３２は、オーディオシステム５を制御する。オーディオ制御部３２は、例えば、ＣＰＵ２１がオーディオドライバを実行することにより実現される。
【００３０】
ステート監視部３３は、光ディスクドライブ４およびオーディオシステム５を監視する。ステート監視部３３は、通常モードとスピーカ出力抑止モードとに切り替わる。通常モードは、音出力部１６の出力の抑制をしないモードであり、スピーカ出力抑止モードは、音出力部１６の出力を抑制するモードである。ステート監視部３３は、例えば、ＣＰＵ２１がステート監視プログラムを実行することにより実現される。
【００３１】
次に、制御装置７が行なう各種処理のうちオーディオ出力抑制処理について図３を参照しながら説明する。図３は、第１の実施形態の電子機器１の制御装置７が実行するオーディオ出力抑制処理の一例を示すフローチャートである。以下のオーディオ出力抑制処理は、ステート監視部３３が通常モードでかつスイッチ回路１５が閉状態でオーディオデータの再生が行なわれている場合に、光ディスクドライブ４における光ディスク１００へのデータの書き込み動作が指示された場合の処理の例である。なお、オーディオシステム５によるオーディオデータの再生は、入力装置３に対する使用者の所定の操作を受けて開始される。また、光ディスクドライブ４における光ディスク１００へのデータの書き込み動作は、入力装置３に対する使用者の所定の操作を受けて開始される。
【００３２】
図３に示されるように、ドライブ制御部３１は、光ディスクドライブ４による光ディスク１００へのデータの書き込み動作を開始させた場合に、作業開始コマンドを発行し、当該作業開始コマンドをステート監視部３３に送信する（Ｓ１１）。作業開始コマンドは、光ディスクドライブ４における光ディスク１００へのデータの書き込み動作の開始を示す情報である。
【００３３】
ステート監視部３３は、ドライブ制御部３１から送信された作業開始コマンドを受信すると（Ｓ１２）、オーディオ制御部３２に、スピーカ出力のボリューム設定（音出力部１６が出力する音のボリューム設定）を問い合わせる（Ｓ１３）。すなわち、ステート監視部３３は、オーディオ制御部３２に、スピーカ出力のボリューム設定を確認する。
【００３４】
オーディオ制御部３２は、ステート監視部３３からの問合せに応じて、オーディオ設定ファイルに設定されているスピーカ出力のボリューム設定（ボリューム設定情報）をステート監視部３３に返信する（Ｓ１４）。
【００３５】
ステート監視部３３は、オーディオ制御部３２からスピーカ出力のボリューム設定情報を受信すると、当該スピーカ出力のボリューム設定情報が示すスピーカ出力のボリュームが規定値（閾値）以上か否かを判定する（Ｓ１５）。当該規定値は、任意の値に設定されてよいが、例えば、比較的大きなボリューム、すなわち大音量に設定されうる。ステート監視部３３は、スピーカ出力のボリューム設定情報が示すスピーカ出力のボリュームが規定値以上の場合には（Ｓ１６：Ｙｅｓ）、通常モードからスピーカ出力抑止モードに遷移する（Ｓ１７）。ステート監視部３３は、スピーカ出力抑止モードに遷移すると、スピーカ出力抑制コマンドを発行して、当該スピーカ出力抑制コマンドをオーディオ制御部３２に送信する（Ｓ１８）。スピーカ出力抑制コマンドは、音出力部１６の出力を下げるためのコマンドである。
【００３６】
オーディオ制御部３２は、ステート監視部３３から送信されたスピーカ出力抑制コマンドを受信すると、スピーカ出力を抑制する（Ｓ１９）。すなわち、オーディオ制御部３２は、スピーカ出力抑制コマンドを受信すると、音出力部１６の出力を抑制する。オーディオ制御部３２は、オーディオシステム５のスイッチ回路１５を開状態にして、フィルタ回路１３Ｂとアンプ１４Ｂとの間の第２の伝送路１６Ｂを遮断する。これにより、音出力部１６においてウーハー１１Ｂからの音の出力が停止する。すなわち、ウーハー１１Ｂの出力が零に下がる。よって、音出力部１６の音の出力は、メインスピーカ１１Ａだけからになるので、メインスピーカ１１Ａおよびウーハー１１Ｂの両方から音を出力していた場合に比べて、音出力部１６の音の出力が下がる。このように、本実施形態では、制御装置７は、光ディスクドライブ４のデータの書き込みに伴って、音出力部１６の出力を下げる。別の言い方をすると、制御装置７は、光ディスクドライブ４のデータの書き込み中に、音出力部１６の出力を下げる。ここで、オーディオ制御部３２およびステート監視部３３は、音出力部１６の出力を下げる出力制御部を構成する。
【００３７】
一方、ステート監視部３３が、スピーカ出力のボリューム設定情報が示すスピーカ出力のボリュームが規定値以上ではないと判定した場合には（Ｓ１６：Ｎｏ）、ステート監視部３３はスピーカ抑止モードに遷移しない。
【００３８】
なお、制御装置７（オーディオ制御部３２）は、ステート監視部３３がスピーカ出力抑制モードに遷移してからは、利用者の操作によるスピーカ出力のボリュームの変更を受け付けない。
【００３９】
以上のように、本実施形態の電子機器１は、例えば、光ディスク１００にデータの書き込みを行なう光ディスクドライブ４と、メインスピーカ１１Ａ（スピーカ）およびウーハー１１Ｂ（スピーカ）を有し、メインスピーカ１１Ａおよびウーハー１１Ｂから音を出力する音出力部１６と、光ディスクドライブ４のデータの書き込みに伴って、音出力部１６の出力を下げる制御装置７と、を備えている。よって、本実施形態によれば、光ディスクドライブ４の書き込み動作中に音出力部１６の出力が下がるので、音出力部１６の音の出力に起因する振動の発生が抑制される。したがって、光ディスクドライブ４への振動の伝達が抑制されるので、光ディスクドライブ４の書き込みエラーの発生を抑制することができる。このように、制御装置７の処理によって光ディスクドライブ４の書き込みエラーの発生を抑制することができるので、光ディスクドライブ４における振動対策の構成を削減しやすい。
【００４０】
ここで、本実施形態では、音出力部１６と光ディスクドライブ４とが一つの筐体に支持されているため、音出力部１６の音の出力に起因する振動が、空気以外にも筐体を介しての光ディスクドライブ４に伝達されうる。しかしながら、本実施形態では、上述のように音出力部１６の音の出力に起因する振動の発生が抑制される。よって、筐体においても振動の伝達を抑制するための構成を削減しやすい。
【００４１】
また、本実施形態では、例えば、音出力部１６は、メインスピーカ１１Ａ（第１のスピーカ）と、規定の周波数以下の音の出力がメインスピーカ１１Ａよりも大きいウーハー（１１Ｂ（第２のスピーカ）と、を有している。制御装置７は、ウーハー１１Ｂの出力を下げる（一例としてウーハー１１Ｂの出力を零に下げる）ことにより音出力部１６の出力を下げる。よって、本実施形態によれば、比較的大きな振動が発生する低周波の音（低音域の音）の出力が抑制されるので、光ディスクドライブ４の書き込みエラーの発生をより抑制することができる。
【００４２】
次に、本実施形態の変形例を説明する。本変形例では、図３のＳ１９において、オーディオ制御部３２が、スイッチ回路１５を閉状態にしたまま、アンプ１４Ａ，１４Ｂを制御して音出力部１６（メインスピーカ１１Ａおよびウーハー１１Ｂ）が出力する音の音量を予め設定された規定値以下に下げる。当該予め設定された規定値は、図３のＳ１６の規定値（閾値）よりも小さい値である。これにより、音出力部１６の音の出力が下がる。なお、本変形例では、スイッチ回路１５は設けられていなくてもよい。また、オーディオ制御部３２は、メインスピーカ１１Ａおよびウーハー１１Ｂとのうち一方の音量だけを予め設定された規定値以下に下げてもよい。
【００４３】
このように、本変形例では、制御装置７は、音出力部１６が出力する音の音量を規定値以下に下げることにより音出力部１６の出力を下げる。よって、音出力部１６から出力される音の音域が狭くなるのを抑制しつつ、光ディスクドライブ４の書き込みエラーの発生を抑制することができる。
【００４４】
＜第２の実施形態＞
図４は、第２の実施形態の電子機器の一例を示すブロック図である。本実施形態の電子機器１は、第１の実施形態の電子機器１と同様の構成を備えている。よって、本実施形態によっても、第１の実施形態と同様の構成に基づく同様の結果（効果）が得られる。
【００４５】
ただし、図４に示されるように、本実施形態では、オーディオシステム５において、第１の実施形態のフィルタ回路１３Ｂおよびスイッチ回路１５に替えて、二つのフィルタ回路１１３Ｂ１，１１３Ｂ２およびスイッチ回路１１５が設けられている。
【００４６】
フィルタ回路１１３Ｂ１，１１３Ｂ２は、オーディオコーデック１２とスイッチ回路１１５との間に並列に設けられている。フィルタ回路１１３Ｂ１は、第２の低周波帯域のアナログオーディオ信号を通過させ、第２の低周波帯域以外のアナログオーディオ信号を減衰させる。第２の低周波帯域は、第１の実施形態で説明した第１の低周波帯域のうちある規定の周波数以上の帯域である。一方、フィルタ回路１１３Ｂ２は、第３の低周波帯域のアナログオーディオ信号を通過させ、第３の低周波帯域以外のアナログオーディオ信号を減衰させる。第３の低周波帯域は、第１の低周波帯域のうち上記ある規定の周波数以下または未満の周波数帯域である。すなわち、第３の低周波帯域は、第２の低周波帯域に対して低周波側の周波数帯域である。
【００４７】
スイッチ回路１１５は、二つのフィルタ回路１１３Ｂ１，１１３Ｂ２の両方とアンプ１４Ｂとの間を接続した状態と、二つのフィルタ回路１１３Ｂ１，１１３Ｂ２のうち一方とアンプ１４Ｂとの間を接続した状態と、に変更可能である。すなわち、スイッチ回路１１５は、フィルタ回路１１３Ｂ１，１１３Ｂ２のうちオーディオコーデック１２からのデータを通過させるフィルタ回路１１３Ｂ１，１１３Ｂ２を選択可能である。
【００４８】
また、本実施形態では、図３のオーディオ出力抑制処理の開始時点では、スイッチ回路１１５は、二つのフィルタ回路１１３Ｂ１，１１３Ｂ２の両方とアンプ１４Ｂとを接続した状態となっている。そして、図３のＳ１９において、制御装置７のオーディオ制御部３２は、フィルタ回路１１３Ｂ１とアンプ１４Ｂとの間を接続しフィルタ回路１１３Ｂ２とアンプ１４Ｂとの間を遮断する。これにより、音出力部１６においてウーハー１１Ｂから出力される音のうち第３の低周波帯域の音がカットされる。よって、ウーハー１１Ｂにおけるある規定値以下の周波数の音の出力が下がる。すなわち、音出力部１６の出力が下がる。
【００４９】
以上のように、本実施形態では、制御装置７は、音出力部１６における規定値以下の周波数（第３周波数帯域）の音の出力を下げることにより音出力部１６の出力を下げる。よって、本実施形態によれば、比較的大きな振動が発生する低周波の音（低音域の音）の出力が抑制されるので、光ディスクドライブ４の書き込みエラーの発生をより抑制することができる。
【００５０】
なお、上記実施形態では、一つ以上のスピーカとして、二つのスピーカ（メインスピーカ１１Ａおよびウーハー１１Ｂ）の例が示されたが、これに限定されない。例えば、スピーカは、一つであってもよいし、三つ以上であってもよい。
【００５１】
また、上記実施形態では、光ディスクドライブ４の光ディスク１００へのデータの書き込みに伴って音出力部１６の出力を下げる例が示されたが、これに限定されない。例えば、光ディスクドライブ４の光ディスク１００からのデータの読み出しに伴って音出力部１６の出力を下げてもよい。
【００５２】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。
【符号の説明】
【００５３】
１…電子機器、４…光ディスクドライブ、７…制御装置、１１Ａ…メインスピーカ（スピーカ、第１のスピーカ）、１１Ｂ…ウーハー（スピーカ、第２のスピーカ）、１６…音出力部。
【図１】
2020173881.tif 000003
【図２】
2020173881.tif 000004
【図３】
2020173881.tif 000005
【図４】
2020173881.tif 000006